(57)【要約】【課題】防水仕様の床の撤去が簡単な防水床施工構造を提供する。【解決手段】側壁１で仕切ってある部屋Ａの内側に防水仕様の床７を施工してある防水床施工構造であって、少なくとも上面側が耐水性を備えている床板部材９の複数をシール材１０を挟んで突き合わせて敷設してある床板１１を設け、床板の端面と側壁の壁面との間にコーキング材１０を充填してある。【選択図】　　　　図２
2004092227.tif 000002
【特許請求の範囲】
【請求項１】
側壁で仕切ってある部屋の内側に防水仕様の床を施工してある防水床施工構造であって、
少なくとも上面側が耐水性を備えている床板部材の複数をシール材を挟んで突き合わせて敷設してある床板を設け、前記床板の端面と前記側壁の壁面との間にコーキング材を充填してある防水床施工構造。
【請求項２】
前記コーキング材の下端部を受け止めるバックアップ材を設けてある請求項１記載の防水床施工構造。
【請求項３】
前記床板の上面に、少なくとも部屋出入り口側に一連に沿わせて、耐水性を備えた長尺の弾性材を水密に密接するように設けてある請求項１又は２記載の防水床施工構造。
【請求項４】
前記床板部材の複数をさね継ぎで突き合わせてある請求項１〜３のいずれか１項記載の防水床施工構造。
【発明の詳細な説明】
【０００１】
【発明の属する技術分野】
本発明は、側壁で仕切ってある部屋の内側に防水仕様の床を施工してある防水床施工構造に関する。
【０００２】
【従来の技術】
例えば、居室内に在宅介護用のバスタブや洗面台を設置したい場合には、居室の床が防水仕様で設けられていないので、バスタブや洗面台から床にこぼれた水が床下などに流れ出て構造部材が腐食したり、階下に漏水したりすることがないように、防水仕様の床を設ける必要があり、従来の防水床施工構造では、床の広さにかかわらず防水仕様の床を施工できるように、防水用のモルタルを既設の床面に打設している。
【０００３】
【発明が解決しようとする課題】
このため、バスタブや洗面台を撤去するとともに、防水仕様の床も撤去して、元の居室として使用したい場合に、床面に打設してあるモルタルの破砕やばらばらになった破砕片の搬出などの解体作業に手間がかかる欠点がある。
本発明は上記実情に鑑みてなされたものであって、防水仕様の床の撤去が簡単な防水床施工構造を提供することを目的とする。
【０００４】
【課題を解決するための手段】
請求項１記載の発明の特徴構成は、側壁で仕切ってある部屋の内側に防水仕様の床を施工してある防水床施工構造であって、少なくとも上面側が耐水性を備えている床板部材の複数をシール材を挟んで突き合わせて敷設してある床板を設け、前記床板の端面と前記側壁の壁面との間にコーキング材を充填してある点にある。
【０００５】
〔作用及び効果〕
少なくとも上面側が耐水性を備えている床板部材の複数をシール材を挟んで突き合わせて敷設してある床板を設け、その床板の端面と側壁の壁面との間にコーキング材を充填して、部屋の内側に防水仕様の床を施工してあるので、床板を複数の床板部材に容易に分離できるとともに、分離した床板部材の搬出も容易で、解体作業の手間を減らすことができ、防水仕様の床を簡単に撤去できる。
【０００６】
請求項２記載の発明の特徴構成は、前記コーキング材の下端部を受け止めるバックアップ材を設けてある点にある。
【０００７】
〔作用及び効果〕
コーキング材の脱落を防止することができ、床の水密性や気密性を長期に亘って確保し易い。
【０００８】
請求項３記載の発明の特徴構成は、前記床板の上面に、少なくとも部屋出入り口側に一連に沿わせて、耐水性を備えた長尺の弾性材を水密に密接するように設けてある点にある。
【０００９】
〔作用及び効果〕
床板の上面に、少なくとも部屋出入り口側に一連に沿わせて、耐水性を備えた長尺の弾性材を水密に密接するように設けてあるので、床板の上面が部屋出入り口の下端よりも高いような場合でも、床板にこぼれた水の部屋の外側への流出を阻止することができる。
また、弾性材が圧縮変形するので、部屋に出入りする人が弾性材に足などをぶつけても負傷するおそれが少ないとともに、車椅子で部屋に出入りする場合でも、弾性材を車輪で踏みつけて容易に踏み越えることができる。
【００１０】
請求項４記載の発明の特徴構成は、前記床板部材の複数をさね継ぎで突き合わせてある点にある。
【００１１】
〔作用及び効果〕
隣り合う床板部材どうしを、それらの突合せ部に挟み込んだシール材とともに、板厚み方向に一体に変形するように突き合わせることができ、シール材の床板部材との密着が損なわれるような事態を防止して、床の水密性や気密性を長期に亘って確保し易い。
【００１２】
【発明の実施の形態】
以下に本発明の実施の形態を図面に基づいて説明する。
〔第１実施形態〕
図１は、側壁１で仕切ってある居室用の部屋Ａを示し、隣部屋や廊下Ｂに通じる出入り口Ｃと窓Ｄを側壁１に設けるとともに、建物躯体床面Ｅの大引き２４に並べた根太（床下地）２の上にフローリング床材３を敷き詰めた非防水仕様の床４を設けてある。
【００１３】
図２は、上述の部屋Ａに在宅介護用のバスタブ５や洗面台６などを設置するために防水仕様の床７を施工してある防水床施工構造を示し、フローリング床材３を撤去して、躯体床面Ｅと大引き２４との間に防水シート８を敷き詰め、その防水シート８の周縁部を全周に亘って上向きに折り曲げてある。
【００１４】
そして、上面側が耐水性を備えている帯板状の床板部材９の複数をシール材としての耐水性と液密性とを備えたコーキング材１０を挟んで突き合わせて敷設してある床板１１を大引き２４に並べた根太２の上に支持するとともに、その床板１１の端面と側壁１の壁面との間にもコーキング材１０を充填して、床面１１ａが出入り口Ｃの敷居１２よりも３〜７ｍｍ程度低い防水仕様の床７を設けてある。
【００１５】
前記床板部材９は、図３に示すように、床板１１の端部を構成する端部床板部材９ａと床板１１の中間部を構成する中間床板部材９ｂとがあり、いずれの床板部材９ａ，９ｂも、プラスチック樹脂を含浸させた表面材１３を木製の下地材１４の表面に耐水性を備えた接着剤で貼り付けて、その上面側に耐水性を備えさせてある。
【００１６】
前記中間床板部材９ｂは、長手方向に沿う一側端面にさね継ぎ用の凹溝１５を全長に亘って一連に形成するとともに、長手方向に沿う他側端面にさね継ぎ用の凸部１６を全長に亘って一連に形成してあり、端部床板部材９ａは、長手方向に沿う一方の端面にのみ、さね継ぎ用の凹溝１５又は凸部１６を全長に亘って一連に形成してある。
【００１７】
そして、図４に示すように、幅方向で隣り合う床板部材９（９ａ，９ｂ）どうしを、所定間隔を隔てて凸部１６の上面に載置した直径が１ｍｍ程度の円板状スペーサ１７を挟んで、一方の床板部材９の凹溝１５に他方の床板部材９の凸部１６が嵌まり込むように突き合わせるとともに、長手方向で隣り合う床板部材９どうしを根太２の上でスペーサ１７を挟んで突き合わせて、幅方向で隣り合う床板部材９どうしの間と長手方向で隣り合う床板部材９どうしの間との夫々に幅１ｍｍ程度の目地１８を形成し、それらの目地１８にコーキング材１０を充填して、床板部材９に水密に接着してある。
【００１８】
従って、床板部材長手方向に沿う目地１８においては凸部１６が、また、床板部材幅方向に沿う目地１８においては根太２が、夫々、コーキング材１０の下端部を受け止めるバックアップ材１９として機能している。
【００１９】
また、端部床板部材９ａと側壁１の壁面との隙間の下部を塞ぐ角材２０を根太２どうしの間の側壁１側に固定し、角材２０と根太２とに載置したスペーサ１７を挟んで床板１１の端面を側壁１側に対向させて、床板１１と側壁１との間に目地２１を形成し、その目地２１にコーキング材１０を充填して水密に接着させるとともに、そのコーキング材１０の下端部をバックアップ材１９としての角材２０と根太２とで支持してある。
【００２０】
尚、本実施形態では、幅方向で隣り合う床板部材９どうしをスペーサ１７を挟み込まずに突き合わせた場合に、長手方向に沿う端面どうしが隙間なく嵌合できる寸法形状でさね継ぎ用の凹溝１５と凸部１６とを形成してある床板部材９を使用しているために、スペーサ１７を挟んで突き合わせた状態では、長手方向に沿う端面どうしの間に目地１８と同じ幅の隙間２３が形成されている。
【００２１】
〔第２実施形態〕
図５は、防水床施工構造の別実施形態を示し、耐水合板などの耐水性を備えた板状の床下地材２５を根太２の上に敷き詰めて、その敷き詰めた床下地材２５の上に、床板部材９の複数をコーキング材１０を挟んで突き合わせて敷設してある床板１１を支持するとともに、その床板１１及び／または床下地材２５の端面と側壁１の壁面との間にもコーキング材１０を充填して、防水仕様の床７を設けてあり、床７からの水漏れの危険性を確実に防止できる。
その他の構成は第１実施形態と同様である。
【００２２】
〔第３実施形態〕
図６は、床板部材９の別実施形態を示し、幅方向で隣り合う床板部材９どうしをスペーサ１７を挟み込まずに突き合わせた状態で、一定幅の目地１８が形成されるとともに、目地１８部分を除いて、長手方向に沿う側面どうしが隙間なく嵌合できる寸法形状になるように、さね継ぎ用の凹溝１５と凸部１６とを形成してある。
その他の構成は第１実施形態と同様である。
【００２３】
〔第４実施形態〕
図７，図８は、防水床施工構造の別実施形態を示し、床板１１の床面１１ａが出入り口Ｃの敷居１２の上面と同高さであるか、又は、敷居１２の上面よりも３〜７ｍｍ程度高い防水仕様の床７を設ける場合に、床面１１ａに、床面１１ａの外周部を隙間なく囲む環状に、かつ、部屋出入り口Ｃ側に一連に沿わせて、耐水性を備えた長尺の軟質塩化ビニル製の中空弾性材２２を水密に密接するように接着して、床面１１ａに水がこぼれても、部屋出入り口Ｃから外側に流れ出さないように構成してある。
その他の構成は第１実施形態〜第３実施形態と同様である。
【００２４】
〔その他の実施形態〕
１．本発明による防水床施工構造は、既設の床の上に防水仕様の床を施工してあっても良い。
２．本発明による防水床施工構造は、床板部材の複数をシール材を挟んで突き合わせて敷設してある床板を、二重置き床などの床下地に支持してあっても良い。
３．本発明による防水床施工構造は、床板部材の複数を、やといざねやほんざねなどのさね継手のほか、あいじゃくり継手やそぎつけ継手，つきつけ継手などで突き合わせてあっても良い。
４．本発明による防水床施工構造は、床板部材の複数を樹脂やゴムで成形してある既製のシール材を挟んで突き合わせて、そのシール材を床板部材に耐水性を備えた接着剤で接着してあっても良い。
５．本発明による防水床施工構造は、全体が耐水性を備えている床板部材を使用しても良い。
【図面の簡単な説明】
【図１】一部端面斜視図
【図２】一部端面斜視図
【図３】要部の一部端面斜視図
【図４】平面図
【図５】第２実施形態を示す要部の一部端面斜視図
【図６】第３実施形態を示す要部の一部端面斜視図
【図７】第４実施形態を示す要部の一部端面斜視図
【図８】第４実施形態を示す一部端面斜視図
【符号の説明】
１　　　側壁
７　　　防水仕様の床
９　　　床板部材
１０　　シール材（コーキング材）
１１　　床板
１１ａ　上面
１９　　バックアップ材
２２　　弾性材
Ａ　　　部屋
【図１】
2004092227.tif 000003
【図２】
2004092227.tif 000004
【図３】
2004092227.tif 000005
【図４】
2004092227.tif 000006
【図５】
2004092227.tif 000007
【図６】
2004092227.tif 000008
【図７】
2004092227.tif 000009
【図８】
2004092227.tif 000010